(57)【要約】【課題】ユーザーの生活や眼の状態あるいは動きに適した個々のユーザーに最適の累進多焦点レンズを提供できる製造方法および製造装置を提供する。【解決手段】各々のユーザーの眼に関連する情報および前記ユーザーの生活に関連する情報の少なくともいずれかを含むユーザー個別のカスタマイズ情報１を反映した累進面を設計し、このカスタムメイドされた累進面を備えた累進多焦点レンズの加工データを導出するレンズ設計工程２を有する累進多焦点レンズ７０の製造方法により、ユーザーに最適な眼鏡レンズを提供できるとともに、セミフィニッシュ状態のレンズを加工して在庫するといった工程を除くことができるので、ユーザーに適したレンズを安価に提供することができる。【選択図】図１
2006163441.tif 000002
【特許請求の範囲】
【請求項１】
屈折力の異なる遠用部および近用部、およびこれらの間で屈折力が累進的に変化する累進部を構成する累進面を有する累進多焦点レンズの製造方法であって、
各々のユーザーの眼に関連する情報および前記ユーザーの生活に関連する情報の少なくともいずれかを含むユーザー個別のカスタマイズ情報を反映した累進面を設計し、このカスタムメイドされた累進面を備えた累進多焦点レンズの加工データを導出するレンズ設計工程を有することを特徴とする累進多焦点レンズの製造方法。
【請求項２】
請求項１に記載の累進多焦点レンズの製造方法において、
前記レンズ設計工程は、前記カスタマイズ情報を前記累進面の設計パラメータに反映する設計パラメータ決定工程と、
前記設計パラメータに基づき前記カスタムメイドされた累進面の座標データを導出する工程とを有することを特徴とする累進多焦点レンズの製造方法。
【請求項３】
請求項２に記載の累進多焦点レンズの製造方法において、
前記レンズ設計工程は、さらに、前記カスタムメイドされた累進面を備えたカスタムメイドレンズの形状を前記カスタマイズ情報に基づき決定する工程を有することを特徴とする累進多焦点レンズの製造方法。
【請求項４】
請求項３に記載の累進多焦点レンズの製造方法において、
前記レンズ設計工程は、さらに、前記カスタムメイドレンズの形状を前記カスタマイズ情報に基づき光学性能が向上するように補正する工程を有することを特徴とする累進多焦点レンズの製造方法。
【請求項５】
請求項２に記載の累進多焦点レンズの製造方法において、
前記カスタマイズ情報は前記ユーザーの生活に関連するカテゴリーの異なる少なくとも第１および第２の主ライフ情報と、
前記第１および第２の主ライフ情報が前記ユーザーの眼に影響する比率を反映する副ライフ情報とを備えており、
前記設計パラメータ決定工程は、前記設計パラメータの内、少なくとも前記遠用部または近用部の明視域の設定に関する基礎パラメータを前記第１の主ライフ情報に基づき設定する第１の基礎パラメータ設定工程と、
前記基礎パラメータを前記第２の主ライフ情報に基づき設定する第２の基礎パラメータ設定工程と、
前記第１および第２の基礎パラメータ設定工程で設定された基礎パラメータを前記副ライフ情報に基づき調整し、前記設計パラメータとして採用する基礎パラメータ調整工程とを備えていることを特徴とする累進多焦点レンズの製造方法。
【請求項６】
請求項５に記載の累進多焦点レンズの製造方法において、
前記カスタマイズ情報は、さらに、前記ユーザーの眼鏡に関連する履歴情報を備えており、
前記設計パラメータ決定工程は、前記基礎パラメータ調整工程で設定された前記基礎パラメータを前記履歴情報で補正する基礎パラメータ補正工程を備えていることを特徴とする累進多焦点レンズの製造方法。
【請求項７】
請求項５又は６に記載の累進多焦点レンズの製造方法において、
前記カスタマイズ情報は、さらに、前記ユーザーの眼の度数に関する度数情報を備えており、
前記設計パラメータ決定工程は、前記度数情報に基づき前記遠用部および近用部のベースカーブを設定するベースカーブ設定工程と、
予め用意された度数分布データ群の中から前記基礎パラメータに相当する度数分布データを求めて前記ベースカーブの設定された前記遠用部および近用部の度数分布を決定する第１の度数分布決定工程と、
前記遠用部および近用部の度数分布に基づき、前記累進部の度数分布を決定する第２の度数分布決定工程とを備えていることを特徴とする多焦点レンズの製造方法。
【請求項８】
屈折力の異なる遠用部および近用部、およびこれらの間で屈折力が累進的に変化する累進部を構成する累進面を有する累進多焦点レンズの製造装置であって、
各々のユーザーの眼に関連する情報および前記ユーザーの生活に関連する情報の少なくともいずれかを含むユーザー個別のカスタマイズ情報を反映した累進面を設計し、このカスタムメイドされた累進面を備えた累進多焦点レンズの加工データを導出するレンズ設計部を有し、
このレンズ設計部は、前記カスタマイズ情報を前記累進面の設計パラメータに反映する設計パラメータ決定部と、
前記設計パラメータに基づき前記カスタムメイドされた累進面の座標データを導出する座標データ導出部と、
前記カスタムメイドされた累進面を備えたカスタムメイドレンズの形状を前記カスタマイズ情報に基づき決定するレンズ形状決定部と、
前記カスタムメイドレンズの形状を前記カスタマイズ情報に基づき光学性能が向上するように補正する光学性能補正部と、
補正された前記カスタムメイドレンズの形状の加工データを導出する加工データ作成部と、
前記設計パラメータの内、少なくとも前記遠用部または近用部の明視域の設定に関する複数の基礎パラメータが予め用意された基礎パラメータファイルと、
これらの基礎パラメータに対応した前記遠用部または近用部の度数分布が予め用意された度数分布データファイルと、
前記遠用部の表面屈折力を設定する複数のベースカーブが予め用意されたベースカーブファイルとを備えており、
前記設計パラメータ決定部は、前記カスタマイズ情報に含まれた前記ユーザーの生活に関連するカテゴリーの異なる少なくとも第１および第２の主ライフ情報のそれぞれに基づき前記基礎パラメータファイルから前記基礎パラメータをそれぞれ選択する基礎パラメータ選択部と、
前記カスタマイズ情報に含まれた前記第１および第２の主ライフ情報が前記ユーザーの眼に影響する比率を反映する副ライフ情報に基づき前記基礎パラメータ選択部によって選択された複数の前記基礎パラメータから前記カスタムメイドレンズの設計に使用される前記基礎パラメータを決定する基礎パラメータ調整部と、
前記カスタマイズ情報に含まれた度数情報に基づき前記ベースカーブファイルから前記遠用部および近用部の前記ベースカーブを選択するベースカーブ選択部と、
前記度数分布データファイルの度数分布データに基づき前記遠用部または近用部の度数分布を決定する第１の度数分布決定部と、
前記遠用部および近用部の度数分布に基づき前記累進部の度数分布を決定する第２の度数分布決定部とを備えていることを特徴とする累進多焦点レンズの製造装置。
【請求項９】
請求項８に記載の累進多焦点レンズの製造装置において、
前記設計パラメータ決定部は、さらに、前記カスタマイズ情報に含まれた前記ユーザーの眼鏡に関連する履歴情報に基づき前記基礎パラメータを補正する基礎パラメータ補正部を備えていることを特徴とする累進多焦点レンズの製造装置。
【請求項１０】
屈折力の異なる遠用部および近用部、およびこれらの間で屈折力が累進的に変化する累進部を構成する累進面を有し、
この累進面が、各々のユーザーの眼に関連する情報および前記ユーザーの生活に関連する情報の少なくともいずれかを含むユーザー個別のカスタマイズ情報を反映して設計されたカスタムメイドされた累進面であることを特徴とする累進多焦点レンズ。
【請求項１１】
請求項１０に記載の累進多焦点レンズが眼鏡フレームの形状に合わせて玉型加工された眼鏡レンズ。
【発明の詳細な説明】
【技術分野】
【０００１】
この発明は、視力補正用の累進多焦点レンズの製造方法および製造装置、この製造方法によって製造される累進多焦点レンズおよび眼鏡レンズに関するものである。
【背景技術】
【０００２】
累進多焦点レンズは、屈折力の異なる２つの視野部分と、これらの間で屈折力が累進的に変わる視野部分とを備えたレンズであり、これらの視野部分に境目がなく外観的に優れ、さらに、１つのレンズで異なる屈折力の視野を得ることができる。このため、老視などの視力の補正機能を備えた眼鏡レンズとして多く用いられている。多くの累進多焦点レンズは、遠距離の物を見るための視野部分である遠用部が上方に設けられ、近距離の物をみるために遠用部と異なる屈折力を備えた視野部分が近用部として遠用部の下方に設けられている。そして、これら遠用部と近用部が、遠距離と近距離の中間距離の物を見るために連続的に変化する屈折力を備えた視野部分である累進部によって滑らかに連絡されている。従って、老視が進んで調整力が減退したユーザーであっても、累進多焦点レンズを用いた眼鏡を使用することにより、遠方と近傍の双方に焦点を合わせて明瞭な視野をえることができる。さらに、遠用部と近用部の間においては、累進的に屈折力が変化するため、中間距離でも快適な視野が得られる。従って、累進多焦点レンズは眼鏡レンズとして多くのユーザーに愛用されており、今後も多種多用な数多くのユーザーに採用されると考えられる。
【０００３】
累進多焦点レンズは、少なくとも２つの屈折力の異なる領域を備えており、これらを累進部によって連続的に繋げた累進面を有している。従って、この累進面は単一な球面とはならないので、累進面の少なくともいずれかの領域では直交する２方向の曲率が異なり、それにより非点収差が発生する。しかしながら、例えば、乱視を伴わない眼鏡の使用者（ユーザー）においては、レンズに現れた非点収差が１．０ディオプトリ、望ましくは０．５ディオプトリ以下であれば、像のボケをそれほど知覚せずに明瞭な視覚が得られる。従って、遠くを見る機会の多いドライバーやスポーツ好きのユーザーに対しては、遠用部に明瞭な視覚が得られる領域（明視域）が広く設定された累進多焦点レンズが望ましいと言える。一方、近くを見る機会の多い事務職や編み物などが趣味のユーザーに対しては、近用部に明視域が広い累進多焦点レンズが望ましい。このように、累進多焦点レンズにおいては、ユーザーの視力に応じたレンズ性能が必要であることはもちろん、眼鏡の用途によってもレンズの性能を変えることが望ましい。
【０００４】
さらに、遠方から近傍への眼の動きには、眼球が鼻側に近づく動き（輻輳）が伴う。このため、遠用部から近用部に向かって延る主注視線（主子午線）は、これをこの目の輻輳を加味して若干鼻側に曲げることが望ましく、この主注視線に沿って明視域を配置することが望ましい。この輻輳の量もユーザーによって異なるので、ユーザーに適した明視域の配置となった累進多焦点レンズでないと明瞭な視野を十分に得ることができない。その他に、回旋角や累進帯の長さなど、累進多焦点レンズとユーザーとのマッチングに影響を与える幾つかの要素が存在する。
【０００５】
このように、ユーザーが快適な視野を得ようとすると、上述したような点を考慮して累進多焦点レンズを選択する必要がある。
【０００６】
従来は、図１４に示したように、平均的な数種類の光学的特性の累進面が凸面側に形成された基本タイプの累進多焦点レンズがメーカーによって用意されており、この中からユーザーに適していると思われるレンズを選択し、そのレンズをユーザーの度数に合わせて凹面側を加工するシステムが採用されている。累進多焦点レンズがユーザーに出荷されるまでの概略過程を説明すると、まず、ステップ９１において、メーカー側がユーザーの平均的な用途や眼の動きなどによって数種類、例えば、遠用および中用を重視したレンズ、近用および中用を重視したレンズ、さらに、遠・中・近用にバランスのとれたレンズなどに適した累進面を設定し、その累進面が凸面側に形成された状態のレンズを加工する。そして、ステップ９２において、加工されたセミフィニッシュレンズの在庫を用意しておく。
【０００７】
ユーザーは、ステップ９３に示すように、眼鏡の販売店などにおいて度数、乱視、あるいは輻輳や回旋角などの眼に関する情報を得て、さらに、眼鏡の用途を決め、ステップ９４において、セミフィニッシュレンズの中から最も適していると思われるレンズを選択する。このセミフィニッシュレンズの中から適当なレンズを選択する作業は専門的な知識が必要となることが多いので、販売店やメーカー側において行われることが多く、選択用のソフトウェアが用意されることもある。
【０００８】
ステップ９５において、選択されたレンズの凹面側が乱視矯正も含めたユーザーに適した度数となるように加工され、そのレンズがステップ９６において出荷される。加工時には、ユーザーの選択した眼鏡フレームに合わせて加工形状が決定され、さらに、要求があればカラーコートなどの付加も行われる。このような過程を経ることにより、メーカーの用意した製品群の中からユーザーに適したレンズが選択され、ユーザーの手元に届けられる。そして、ステップ９３において得られるユーザーの情報をよりきめ細かく検討することにより、セミフィニッシュの状態で用意された製品群の中からユーザーの要求にマッチした快適な視野の得られるレンズを提供することができる。
【０００９】
ユーザーにマッチした製品を選択するためには、ユーザーの要求に対処できるセミフィニッシュのレンズを在庫として用意しておく必要がある。しかしながら、在庫化できる種類の数、あるいは量を適当な範囲に収めるためには、セミフィニッシュとして製造できる種類は限られており、上述したような平均的で需要の多い、アウトドアタイプの遠中重視、汎用タイプの遠中近バランスおよび室内タイプの中近重視といった数種類程度に限定されてしまう。従って、ユーザーも、用意された種類の累進多焦点レンズの中で最適なものを選択できるだけであり、自己に最適なレンズを装着できるとはかぎらない。
【発明の開示】
【発明が解決しようとする課題】
【００１０】
そこで、本発明においては、ユーザーの生活や眼の状態あるいは動きに適した個々のユーザーに最適の累進多焦点レンズを提供できる製造方法および製造装置を提供することを目的としている。特に、累進多焦点レンズは、視力の調整力が減退していても遠近にわたり明瞭な視野が得られるが、その反面、レンズの各部で屈折力が異なり、明視域として得られる領域も限られてしまう。従って、眼鏡の使用目的や、過去の履歴、さらに眼の状態や動きなどによって一人一人のユーザーによって使用環境が異なり、同一の累進多焦点レンズで複数のユーザーに最適なものを提供することは不可能である。このため、本発明においては、一人一人のユーザーの眼の動きや生活に適合した累進面を備えた累進多焦点レンズを提供することを目的としており、使用環境の異なる各々のユーザーが常に快適な視野を得ることかできる眼鏡レンズを提供することを目的としている。
【課題を解決するための手段】
【００１１】
このため、本発明においては、メーカー側が基本的な性能の累進面を有する累進多焦点レンズを用意し、その中からユーザー側が選択する、あるいはユーザーの情報に基づいてメーカー側で選択してユーザーに提供するという従来の製造方法とは異なり、ユーザー個別の情報にしたがって先ず累進面を設計し、その累進面(以降においてはカスタムメイドされた累進面)を備えた累進多焦点レンズ(以降においては、カスタムメイドされたレンズ、あるいはカスタムメイドレンズ)を加工してユーザーに供給できるようにしている。すなわち、本発明の、屈折力の異なる遠用部および近用部、およびこれらの間で屈折力が累進的に変化する累進部を構成する累進面を有する累進多焦点レンズの製造方法においては、各々のユーザーの眼に関連する情報およびユーザーの生活に関連する情報の少なくともいずれかを含むユーザー個別のカスタマイズ情報を反映した累進面を設計し、このカスタムメイドされた累進面を備えた累進多焦点レンズの加工データを導出するレンズ設計工程を有することを特徴としている。本発明の累進多焦点レンズの製造方法を採用することにより、用意された製品群の中からユーザーに適した累進面を有するレンズを選択するのではなく、ユーザーに適した累進面を備えたレンズを製造するといった全く新しい方法でユーザーに眼鏡レンズを提供することができる。従って、供給する時点の技術でユーザーに最適の累進多焦点レンズを必ず提供することが可能であり、さらに、技術の進展によって性能が向上した場合は、その優れた性能を備えた累進多焦点レンズを技術の進展と共にユーザーに提供することかできる。また、セミフィニッシュのレンズを在庫しておく必要がないのでコストダウンも図れ、ユーザーにマッチしたレンズをより安価に提供できる。
【００１２】
レンズ設計工程においては、カスタマイズ情報を累進面の設計パラメータに反映する設計パラメータ決定工程と、設計パラメータに基づきカスタムメイドされた累進面の座標データを導出する工程とを用いることにより、ユーザーの眼の度数や動きなどの眼に関連する情報、さらには、仕事や趣味といったライフスタイルに関連する情報に合致した累進面を設計し、その座標を求めることができる。本発明においては、個々のユーザーに対して累進面を決めることができるので、従来のように加工済のレンズの数種類の基本的なタイプの累進面に限定されることなく、個々のユーザーに対して独自の累進面を導出したり、あるいは、参照可能な数十あるいはそれ以上の基本タイプを参照して独自のカスタムメイドされた累進面を設定することが可能である。このため、多種多用な設計が可能である累進面の特性を活かして、ユーザーの眼の動きに沿って明視域を形成し、ライフスタイルに適した広さの明視域を設けることが可能である。従って、ユーザーに対し常に快適な視野を提供できるカスタムメイドされた累進面を備えた累進多焦点レンズ（カスタムメイドレンズ）およびカスタムメイドされた累進多焦点レンズを玉型加工した眼鏡レンズを提供することができる。
【００１３】
本発明においては、個々のユーザーのカスタマイズ情報に基づいてユーザーに適合した累進面の設計を行えるようにしているので、様々な角度からユーザーに適合するように累進面の設計をトライすることができる。例えば、上述したようにカスタマイズ情報にユーザーのライフスタイルの情報として職業を設定し、その職業に合わせた累進面の設計を行うことも可能である。さらに、同一の職業のユーザーでも同一の累進面が適合しているとは限らないので、カスタマイズ情報にユーザーの生活に関連するカテゴリーの異なる少なくとも第１および第２の主ライフ情報、例えば、職業と趣味といった情報を設けることも可能である。そして、第１および第２の主ライフ情報がユーザーの眼に影響する比率を反映する副ライフ情報として、例えば、職業と趣味で眼鏡を使用する時間の割合や、趣味に費やす時間などを設けることができる。そして、設計パラメータ決定工程に、設計パラメータの内、少なくとも遠用部または近用部の明視域の設定に関する基礎パラメータを第１の主ライフ情報に基づき設定する第１の基礎パラメータ設定工程と、基礎パラメータを第２の主ライフ情報に基づき設定する第２の基礎パラメータ設定工程とを設け、これら第１および第２の基礎パラメータ設定工程で設定された複数の基礎パラメータを副ライフ情報に基づき調整し、累進面の設計パラメータとして採用する基礎パラメータ調整工程を設けることにより、同一の職業のユーザーでも趣味の差を反映した個々のユーザーにさらに適合した累進面を備えた眼鏡レンズを提供することができる。もちろん、職業と趣味に限らず、性別や年齢なども主ライフ情報として付加することも可能である。さらに、趣味などの１つのカテゴリーの内容をさらに細かなカテゴリーに分けて、例えば、趣味とするスポーツの種類などを基礎パラメータを選択するための主ライフ情報として採用することも可能である。このように、本発明の累進多焦点レンズの製造方法においては、１種類の情報に限定されることなく、複数の情報に基づき設計パラメータを設定し、生活様式などの異なる個々のユーザーのそれぞれに適合した累進多焦点レンズを設計あるいは製造することができる。
【００１４】
さらに、ユーザーが累進多焦点レンズに慣れているか否か、あるいは過去の装着していた累進多焦点レンズが好みにあっていたかなどの履歴によっても、違和感があるなどユーザーの眼鏡レンズに対する要求が異なる。本発明においては、累進面の設計からスタートするので、このような情報もカスタマイズ情報に含めて眼鏡レンズに反映することが可能である。すなわち、カスタマイズ情報にユーザーの眼鏡に関連する履歴情報を設け、設計パラメータ決定工程に、基礎パラメータ調整工程で設定された基礎パラメータを履歴情報で補正する基礎パラメータ補正工程を設けることにより、ユーザーの経験による相違も反映した眼鏡レンズを提供することができる。
【００１５】
このようにして個々のユーザー毎に設定された基礎パラメータに基づき累進面の座標データを求めるには基礎パラメータに適合した曲面を表現する関数を求めるなど様々な方法がある。これらの内、まず、ベースカーブ設定工程によってカスタマイズ情報に含まれたユーザーの眼の度数に関する度数情報によって遠用部および近用部のベースカーブを設定し、その後、予め用意された度数分布データ群の中から基礎パラメータに相当する度数分布データを求めてベースカーブの設定された遠用部および近用部の度数分布を決定する第１の度数分布決定工程と、遠用部および近用部の度数分布に基づき、累進部の度数分布を決定する第２の度数分布決定工程によって累進面を設計することにより、個々のユーザーに適合した性能の良い累進面を得ることができる。度数分布データなどの設計パラメータはファイル化されたデータ群から選択しても良いし、重み付け関数などを用いて補間法によって求めることも可能である。
【００１６】
さらに、本発明においては、個々の累進多焦点レンズを製造する際に、累進面から設計を開始するので、カスタムメイドされた累進面を備えたカスタムメイドレンズの形状を眼鏡のフレームなどのカスタマイズ情報に基づき決定する工程を採用することももちろん可能である。従って、フレームや乱視の度数および軸などに合わせてレンズの形状を決定し、ユーザーに快適な視野を実現すると共に、薄くて軽い使用し易いレンズを提供することができる。
【００１７】
また、本発明においては、累進面の設計から開始して個々のユーザーに適した累進多焦点レンズを提供できるようにしているので、カスタマイズ情報に含まれたそり角や前傾角などのフィッティング情報を用いて累進面やその他の面のデータを光学性能が向上するように補正し、ユーザーに適した光学的特性を持つ累進多焦点レンズを提供することが可能である。そして、これらのカスタマイズ情報に基づき導出された加工データにより、累進面も含めた一括したレンズ加工が可能であり、短時間でユーザーに適合した累進多焦点レンズを提供することができる。従って、従来のようにセミフィニッシュレンズを加工し、そのセミフィニッシュレンズの凹面をユーザーに合わせて加工するといった複数段階の加工は不要となり、短時間で安価にユーザーに適合したカスタムメイドレンズを提供することが可能になる。
【００１８】
本発明の累進多焦点レンズの製造方法は、ソフトウェアとして提供することが可能であり、磁気ディスクやＣＤ−ＲＯＭなどの記憶媒体に記憶して供給することができる。そして、パーソナルコンピュータなどの適当な処理機能とファイルを記憶する機能を備えた次のような製造装置を提供することができる。すなわち、本発明の、屈折力の異なる遠用部および近用部、およびこれらの間で屈折力が累進的に変化する累進部を構成する累進面を有する累進多焦点レンズの製造装置においては、各々のユーザーの眼に関連する情報およびユーザーの生活に関連する情報の少なくともいずれかを含むユーザー個別のカスタマイズ情報を反映した累進面を設計し、このカスタムメイドされた累進面を備えた累進多焦点レンズの加工データを導出するレンズ設計部を有している。そして、このレンズ設計部は、カスタマイズ情報を累進面の設計パラメータに反映する設計パラメータ決定部と、設計パラメータに基づきカスタムメイドされた累進面の座標データを導出する座標データ導出部と、カスタムメイドされた累進面を備えたカスタムメイドレンズの形状をカスタマイズ情報に基づき決定するレンズ形状決定部と、カスタムメイドレンズの形状をカスタマイズ情報に基づき光学性能が向上するように補正する光学性能補正部と、補正されたカスタムメイドレンズの形状の加工データを導出する加工データ作成部と、設計パラメータの内、少なくとも遠用部または近用部の明視域の設定に関する複数の基礎パラメータが予め用意された基礎パラメータファイルと、これらの基礎パラメータに対応した遠用部または近用部の度数分布が予め用意された度数分布データファイルと、遠用部の表面屈折力を設定するベースカーブが複数種類予め用意されたベースカーブファイルとを備えている。
【００１９】
さらに、設計パラメータ決定部は、カスタマイズ情報に含まれたユーザーの生活に関連するカテゴリーの異なる少なくとも第１および第２の主ライフ情報のそれぞれに基づき基礎パラメータファイルから基礎パラメータをそれぞれ選択する基礎パラメータ選択部と、カスタマイズ情報に含まれた第１および第２の主ライフ情報がユーザーの眼に影響する比率を反映する副ライフ情報に基づき基礎パラメータ選択部によって選択された複数の基礎パラメータからカスタムメイドレンズの設計に使用される基礎パラメータを決定する基礎パラメータ調整部と、カスタマイズ情報に含まれた度数情報に基づきベースカーブファイルから遠用部および近用部のベースカーブを選択するベースカーブ選択部と、度数分布データファイルの度数分布データに基づき遠用部または近用部の度数分布を決定する第１の度数分布決定部と、遠用部および近用部の度数分布に基づき累進部の度数分布を決定する第２の度数分布決定部とを備えていることを特徴としている。設計パラメータ決定部には、さらに、カスタマイズ情報に含まれたユーザーの眼鏡に関連する履歴情報に基づき基礎パラメータを補正する基礎パラメータ補正部を設けることができる。
【発明の効果】
【００２０】
以上に説明したように、本発明においては、ユーザー個々のカスタマイズ情報を反映した累進面をカスタムメイドし、そのカスタムメイドされた累進面を備えた累進多焦点レンズを設計し、個々のユーザーに最適の眼鏡レンズをカスタムメイドできるようにしている。従って、従来のように、メーカー側が適当に設定した基本的な光学的特性を備えた数種類のレンズの中から選択するのとは大幅に異なり、ユーザー個人に最適の光学的特性を備えた累進多焦点レンズを作成し提供することができる。従って、ユーザーも市場に流通している眼鏡レンズの中から選択するのではなく、自己の眼の状態およびライフスタイルさらには自己の主張までも取り入れられた最適の眼鏡レンズを購入することが可能となり、非常に快適な視野を得て生活をエンジョイすることができる。
【００２１】
さらに、本発明の製造方法を採用することにより、セミフィニッシュ状態のレンズを加工し、在庫するといった手間やコストを全くなくすことが可能である。このため、ユーザーに最適の眼鏡レンズを安価に提供することができる。  
【発明を実施するための最良の形態】
【００２２】
以下に図面を参照しながら、本発明をさらに詳しく説明する。図１に、本発明の累進多焦点レンズの製造方法の主な過程をフローチャートを用いて示してある。本発明の累進多焦点レンズを製造するためには、まず、ユーザー個別の情報（カスタマイズ情報）１を収集することが必要である。ユーザーに適したカスタムメイドの累進多焦点レンズを製造するには、大きく分けてユーザーの眼に関連する情報と、ユーザーの生活に関連する情報とを得ることが望ましい。眼に関連する情報としては、度数(Ｓ度数、乱視を矯正する必要がある場合はＣ度数および軸)、遠用部と近用部の度数の差を示す加入度、瞳の位置を示す瞳孔距離、遠用部から近用部にかけての眼の動きである輻輳量、眼球が回転運動（視線移動）する範囲を示す回旋角、視線の動きなどがある。さらに、眼鏡を装着する際のフィッティングデータとして、レンズの眼球側の面と角膜との距離である角膜頂点間距離、顔の垂線とレンズ面との角度を示す前傾角、左右のレンズ同士の傾きを示すそり角などを含めることができる。これらの眼に関する情報は、眼科や販売店などにおいてユーザーの眼の動きなどを測定することにより主に得ることができる。
【００２３】
一方、ユーザーの生活に関連した情報としては、ユーザーの仕事や趣味などの眼鏡の主な用途に関連するライフ情報、現在あるいは過去に装着していた眼鏡との相性・好み、眼鏡の経験の有無などの履歴情報、さらには、ユーザーが選択した眼鏡用のフレーム形状などがある。これらのユーザーの生活に関連した情報は、主に、インタビューやアンケートといった方式で眼科や販売店などにおいて取得することができる。
【００２４】
〔累進多焦点レンズの製造方法の概要〕
本例の累進多焦点レンズの製造方法１０においては、上記のように収集されたカスタマイズ情報１を反映して累進面を含めた累進多焦点レンズを設計し加工データを導出する設計工程２と、この加工データに基づき累進多焦点レンズおよび眼鏡レンズを製造する加工工程３と、ユーザーに合わせてカスタムメイドされたレンズを出荷する工程４を備えている。このため、本例のカスタマイズ情報１は、レディーメイドの眼鏡レンズの中からユーザーに適合したレンズを選定するための情報ではなく、累進多焦点レンズを製造するために用いられる情報である。
【００２５】
従って、後で設計パラメータに反映する必要はあるが、何らかの答え、すなわち、レディーメイドのレンズのいずれか１つを導き出すための情報ではないので、ユーザーが眼鏡を使用して快適な視野を得るために関連すると思われるどの様な種類の情報でも含めることができる。また、本例の製造方法においては、カスタマイズ情報に基づき累進面の設計から開始されカスタムメイドされた累進面、さらにその累進面を備えたカスタムメイドされたレンズを製造することができる。
【００２６】
従って、多種多用なユーザーの一人一人に対応した眼鏡レンズを提供することが可能であり、個々のユーザーに対し快適な視野が必ず得られる眼鏡レンズを提供することができる。
【００２７】
また、本例の製造方法においては、カスタマイズ情報に基づき導出された加工データによってレンズを加工することにより、出荷可能なレンズを１つの工程ですぐに製造することが可能である。従って、従来のセミフィニッシュ状態のレンズを製造する工程は不要であり、短時間で安価にユーザーに適合したカスタムメイドのレンズを提供することができる。さらに、セミフィニッシュ状態のレンズを在庫しておく必要もないので、その面でもコストダウンを図ることができる。そして、カスタマイズ情報に基づき、累進面から設計を行うようにしているので、累進多焦点レンズの性能を向上する技術の進展があった場合は、設計ソフトをバージョンアップすることにより、技術の進展に伴い性能の向上した累進多焦点レンズをユーザーに対し提供することが可能である。また、ユーザー側も、設計の更新やレンズの仕様が変更になっても、メーカー側（レンズの製造側）に供給する情報を変える必要はなく、新旧のタイプ、あるいは目的の異なるタイプなどを含めた多種多用な種類のレンズの中から適当なレンズを選択するといった煩わしさをなくすことができる。
【００２８】
本例の設計工程２に含まれる各工程をさらに詳しく説明する。本例の設計工程２は、カスタマイズ情報１から累進面の設計に係る情報を設計パラメータに反映する設計パラメータ決定工程５と、それらの設計パラメータに基づき累進面を設計し、カスタムメイドされた累進面の座標を導出する工程６と、カスタムメイドされた累進面を有するレンズ形状をフレーム形状などのカスタマイズ情報１に基づき決定する工程７と、上記にて設定された累進面やレンズ形状を、カスタマイズ情報１に含まれるフィッティングデータに基づき光学性能を最適化するように補正する工程８と、さらに、このようにして決定されたレンズの加工データを作成する工程９を備えている。
【００２９】
〔累進多焦点レンズの製造装置の概要〕
このような工程を備えた本発明の累進多焦点レンズの製造方法はソフトウェアとして提供することが可能であり、磁気ディスクやＣＤ−ＲＯＭなどの記憶媒体に記憶して供給することができる。そして、パーソナルコンピュータなどの適当な処理機能とファイルなどを記憶する機能を備えた処理装置を累進多焦点レンズの製造装置６０として用いることが可能であり、その製造装置の主な構成を図２に示してある。本例の製造装置６０は、上記の各工程５〜９に対応して、カスタムメイドレンズ用の設計パラメータを決定してカスタムメイドされた累進面の座標分布を求める設計パラメータ決定部６１と、カスタムメイドされた累進面の座標を導出する座標データ導出部６２と、この座標と度数などのカスタマイズ情報に基づきユーザー個々に適したレンズ形状を決定するレンズ形状決定部６３と、カスタマイズ情報に含まれるユーザー個々のフィッティング情報などに基づきカスタムメイドされたレンズ形状を光学性能が最適になるように補正する光学性能補正部６４とを備えており、さらに、このようにして決定された座標データからレンズ加工用の数値データを導出する加工データ作成部６５を備えている。また、本例の製造装置６０は、予め作成された各種のデータが収納されたファイル群も備えている。例えば、遠用／近用の明視域を組み合わせたタイプ（基礎パラメータ）をきめ細かに予め定義した基本設計タイプ(基礎パラメータ)ファイル５１、ユーザーの球面度数や乱視度数によって曲面の表面屈折力を与える最適の基本カーブ(ベースカーブ)が設定できるように用意されたベースカーブファイル５３、基礎パラメータによって遠用部および近用部の水平方向の度数分布が得られるように用意された遠用部度数分布ファイル５４および近用部度数分布ファイル５５が設けられている。これらに収納されたデータは設計パラメータ決定部６１における処理に用いられ、ユーザー個々に異なる多種多用な累進面の設計を短時間で行えるようになっている。
【００３０】
設計パラメータ決定部６１で決定された累進面の座標分布は座標分布データファイル８１に出力され、この座標分布データに基づき座標データ導出部６２によって導出された座標データは座標データファイル８２に出力される。レンズ形状決定部６３は座標データファイル８２の座標データと、レンズ径ファイル５７、最低中心厚ファイル５８および最低フチ厚ファイル５９からカスタマイズ情報に基づき選択された値によってレンズ形状を決定し、レンズ形状を示す数値データがレンズ形状ファイル８３に出力される。また、光学性能補正部６４はレンズ形状ファイル８３の形状を光学特性に基づき補正し、補正されたレンズ形状を示す数値データから加工データ作成部６５が加工データを導出して加工データファイル８４に出力する。この加工データがＮＣマシンなどに転送され、ユーザー個々に最適の眼鏡レンズが成形され、ユーザーに供給される。
【００３１】
以下において、この製造装置と、上述した累進多焦点レンズの製造方法の各工程のさらに詳しい説明を以下に示す各工程のフローチャートを参照しながら説明する。
【００３２】
〔設計パラメータ決定工程の概要〕
本例のカスタマイズ情報１を設計パラメータに反映する設計パラメータ決定工程５は、図３に示すように、大まかな処理ステップとして、累進多焦点レンズの基本的な性能に関する遠用／近用の基礎パラメータの決定を行うステップ１１と、ベースカーブを求めて基礎パラメータに従って遠用部の度数（屈折力）分布を決定するステップ１４と、基礎パラメータに従って近用部の度数分布を決定するステップ１８と、これらの分布に基づき累進部の度数分布を決定するステップ２２とを備えている。これらに対応して、本例の製造装置６０の設計パラメータ決定部６１も、ステップ１１の処理を行う基礎パラメータ設定部６６と、ステップ１４およびステップ１８における遠用部および近用部のベースカーブの設定を行うベースカーブ選択部６７と、遠用部および近用部の度数分布を決定する第１の度数分布決定部６８と、これらの度数分布に基づいて累進面全体の度数分布を決定する第２の度数分布決定部６９とを備えており、決定された度数分布が度数分布データファイル８１に出力される。
【００３３】
本例の累進多焦点レンズの製造方法においては、まず、ステップ１１において、累進多焦点レンズの基本的な領域の設定を行う。このために、カスタマイズ情報１のライフスタイル１ａに関連する情報（職業、趣味、活動の場所・範囲、過去の眼鏡の種類と評価など）によってステップ１２において遠用部および近用部の基本的な位置および広さを決定する。本例においては、コンピュータ処理によって個々のユーザーに対しカスタマイズされた累進面および累進多焦点レンズを設計し、加工データを導出することにより、短時間で設計処理を行えるようにしている。さらに、コンピュータ処理を採用することにより、短時間で多くのパラメータから最適なものを選択したり、複雑に関数化された設計パラメータでも迅速に対処することができるので、よりユーザー本位のカスタマイズされた累進面および累進多焦点レンズを提供することができる。遠用部および近用部の位置・広さを決定する基礎パラメータを選択するステップ１２においては、数十あるいはそれ以上の基本設計タイプ(基礎パラメータ)が予め基本設計タイプファイル(基礎パラメータファイル)５１に設定されており、その中からライフスタイル情報１ａに適合する基本設計タイプを選択し、例えば、図１３に示すように、累進多焦点レンズ７０の累進面の領域７１に遠用部領域境界線７２ａを設定し、遠用部７１の位置および広さを決定している。従来のセミフィニッシュされた数種類のレンズの中から適当なレンズを選択するのとは異なり、本例の製造方法においては、累進面７１の設計の初期段階であるので数十あるいはそれ以上の基本パターンの中から細かな選択が可能である。例えば、遠用部領域境界線７２ａの位置や角度、さらには、曲率などを自由に変えるとが可能であり、これによって遠用部の位置、広さを自由に設定できる。
【００３４】
〔基礎パラメータの設定方法〕
図４に、本例の基礎パラメータを設定する工程であるステップ１２のさらに詳しい処理の流れを示してある。本例の製造方法においては、遠近の明視域の広さを設定する際に、ユーザーが快適な視野が得られるようにするためにユーザー個々に適した眼鏡の基礎パラメータを生活に関連した情報で設定できるようにしている。基礎パラメータを設定するための生活に関連した情報としては、上述したように、眼鏡の使用目的に密接した職業や趣味など（以下においては主ライフ情報と呼ぶ）を選択することが可能である。さらに、本例の製造方法においては、主ライフ情報の内の１つのカテゴリーの情報で基礎パラメータを設定するのではなく、異なった複数の面からユーザーの生活状況（ライフスタイル）を捉えてユーザー個々に最適の眼鏡レンズを供給できるように複数のカテゴリーの主ライフ情報で基礎パラメータを選択している。例えば、本例においては、第１のカテゴリーの主ライフ情報としてライフスタイルの内から職業の情報１ａ．１を選択しており、ステップ１２ａにおいてこの職業情報１ａ．１に基づき第１の基礎パラメータを選択できるようにしている。また、第２のカテゴリーの主ライフ情報としてライフスタイルの内から趣味の情報１ａ．２を選択して、ステップ１２ｂにおいて趣味情報１ａ．２に基づき第２の基礎パラメータを選択できるようにしている。
【００３５】
本発明の累進多焦点レンズの製造方法においては、累進面の設計から個々のユーザーに対応して行えるようにしてあるので、基礎パラメータとして多種多用な累進多焦点レンズのパターンを用意することができる。図５に、本例の基礎パラメータファィル５１に用意された基礎パラメータの例を示してある。本例においては、累進帯上端から７ｍｍ上のフィッティングポイントにおける遠用部の水平方向の明視域（収差０．５０Ｄ以下）の広さを５〜５０ｍｍまで５ｍｍピッチで設定し、さらに、累進帯下端から３ｍｍ下の近用部の水平方向の明視域の広さを２〜２０ｍｍまで２ｍｍピッチで設定し、これらのそれぞれの組み合わせを基本となる累進面の基礎パターン（基礎パラメータ）としてある。従って、基礎パラメータファイル５１には１００タイプの累進面を示す基礎パラメータが予め用意されている。図５には、中間視野を重視するタイプに区分けできるものを「中間」、遠中視野を重視するタイプに区分けできるものを「遠中」、遠用視野を重視するタイプに区分けできるものを「遠用」、中近視野を重視するタイプに区分けできるものを「中近」、遠中近のバランスをとったタイプに区分けできるものを「バラ」、近用視野を重視するタイプに区分けできるものを「近用」、遠近視野を重視するタイプに区分けできるものを「遠近」という名称をふってグループ分けして基礎パラメータとしているが、もちろん基礎パラメータがこれらの名称や区分けの基準に限定されるものではない。
【００３６】
これらの基礎パラメータと職業を対応するデータが図６に示す職業ファイル５２ａに予め用意されている。例えば、過去の眼鏡レンズの販売実績などから弁護士は遠用部２０ｍｍおよび近用部１０ｍｍの明視域を備えた累進多焦点レンズが一般的に望ましいという結果が得られていると、弁護士という職業に対しては中近４という基礎パラメータが割り当てられる。同様に、医者という職業に対しては遠用部３０ｍｍおよび近用部１２ｍｍの明視域を備えた累進多焦点レンズが一般的に望ましいという結果が得られていると、中近１３という基礎パラメータが割り当てられる。従って、ステップ１２ａでは、職業ファイル５２ａを参照してユーザーの職業に適した基礎パラメータを設定できる。
【００３７】
さらに、本例の多焦点レンズの製造方法においては、図７に示す趣味ファイル５２ｂも用意されている。例えば、趣味がドライブの場合は、遠用部５０ｍｍおよび近用部２ｍｍの明視域を備えた累進多焦点レンズが一般的に望ましいという結果が得られていれば、遠用２という基礎パラメータが割り当てられる。従って、ステップ１２ｂでは、趣味ファイル５２ｂを参照してユーザーの趣味に適した基礎パラメータを設定できる。図６および図７に示した基礎パラメータはもちろん例示にすぎず、過去の眼鏡レンズの販売実績やその後の追跡調査などによって設定されるものである。
【００３８】
このように、本例の累進多焦点レンズの製造方法においては、職業が同じであっても個々のユーザーによって眼鏡の使用目的や必要とされる視野の位置および広さは異なっており、それを趣味という別のカテゴリーの主ライフ情報によって補い、個々のユーザーに最適の累進多焦点レンズを提供できるようにしている。
【００３９】
例えば、職業が医者で趣味がゴルフのユーザーは、ステップ１２ａにおいて第１の基礎パラメータとして中近１３が得られ、ステップ１２ｂにおいて第２の基礎パラメータとして遠用２が得られる。これらの基礎パラメータは異なったタイプの累進面を示す設計パラメータであり、このままではカスタムメイドされた累進面を設計することができない。そこで、本例の製造方法においては、図４に示すように、副ライフ情報１ａ．３としてユーザーが職業と趣味に費やす比率をライフスタイルのデータとしてカスタマイズ情報１に含めるようにしている。例えば、趣味であるゴルフの比率が月に１回程度であれば、遠用部の使用頻度は少ないと判断できるので、職業に係る第１の基礎パラメータをベースに最低必要な明視域として遠用部だけを２ランク上げたバラ４、すなわち、遠用部４０ｍｍおよび近用部１２ｍｍの明視域が確保できる基礎パラメータに設定することができる。
【００４０】
このため、ステップ１２ａおよび１２ｂでそれぞれ設定された第１および第２の基礎パラメータを調整する基礎パラメータ調整工程をステップ１２ｃに設けてある。
【００４１】
さらに、長年眼鏡を使用していたユーザーであれば、前に装着していた眼鏡レンズの明視域の広さと比較し、新たな眼鏡レンズの明視域の広さが大きくことなると、視野の範囲のみならず、累進部における収差分布も大きく異なり違和感が生じやすい。一方、前に装着していた眼鏡レンズに視野が狭いなどの不満がある場合は、この不満を取り除く眼鏡レンズを提供することが望ましい。また、初めて累進多焦点レンズを装着するユーザーの場合には、累進レンズ特有の視野の制限や像の歪みが気になることが多い。従って、明視域の広い遠用重視の眼鏡レンズが望ましい。このように、ユーザーの眼鏡の履歴によっても最適な眼鏡レンズの仕様が異なることがあるので、本例の製造方法においては、図４に示すように、カスタマイズ情報１にユーザー毎の眼鏡の履歴に関する情報１ｋを設け、ステップ１２ｃで設定された基礎パラメータを履歴情報１ｋで補正する基礎パラメータの補正工程をステップ１２ｄに設けてある。
【００４２】
このようなステップ１２ａ〜１２ｄに対応して、図２に示した本例の累進多焦点レンズの製造装置６０の基礎パターン設定部６６には、職業ファイル５２ａから職業に対応する基礎パラメータを設定する第１の基礎パラメータ設定部６６ａと、趣味ファイル５２ｂから趣味に対応する基礎パラメータを設定する第２の基礎パラメータ設定部６６ｂと、職業と趣味の比率によって累進面の設計に使用する基礎パラメータを調整する基礎パラメータ調整部６６ｃと、さらに、ユーザーの履歴によって基礎パラメータを補正する基礎パラメータ補正部６６ｄを備えている。
【００４３】
〔遠用部および近用部の補正〕
次に、ステップ１３においてカスタマイズ情報１に含まれる回旋角１ｂおよび輻輳量１ｃあるいは遠用から近用にかけてのユーザーの視線の使い方から上記の基礎パラメータによって設定された遠用部および近用部の広さおよび位置を補正する。本例においては、上記のカスタマイズ情報１によって累進帯の長さ、累進帯形状および累進帯における加入変化率を求め、これによって近用部の位置決めを最終的に行っている。
【００４４】
回旋角１ｂは、水平視線を基準に下方に回旋できる最大値（最大回旋角）をユーザー毎に測定することによってカスタマイズ情報１に含めることができる。眼鏡レンズの後面から眼球の回旋中心までを２５ｍｍとした場合に、最大回旋角Ａを使用したときの視線の位置はレンズ上で近似的に２５×ｔａｎ（Ａ）ｍｍで得ることができる。例えば、最大回旋角Ａが４０°では、水平視線からレンズ面上で下方約２０ｍｍまで視線を移動できる。従って、この２０ｍｍ下方の位置では度数的に安定した近用部領域を設定することが望ましい。このため、レンズ中心の３ｍｍ程度上方である水平視線の位置から１７ｍｍ程度下方に近用開始点（累進帯下端）を設定する。また、通常のユーザーの視線は水平視線より５〜６°程度下方にあるときが多く、これを常用視線というが、これを考慮して水平視線位置より２ｍｍ程度下方に累進開始点を設定する。従って、このような最大回旋角Ａを備えたユーザーの場合は、上記のように近用部の位置決めが行われて累進帯長の長さが１５（１７−２）ｍｍに設定される。
【００４５】
輻輳量１ｃは従来はレンズ上で片眼ほぼ２．５ｍｍが一般的な値として設定されているが、眼筋の動きや調整力によって実際はユーザー毎に輻輳量１ｃは異なっている。さらに、近くをみるときに頭を傾げる癖などがあるユーザーでは、左右の輻輳量を変えることが望ましいこともあり、この場合は、左右の眼鏡レンズで異なった位置に近用部をそれぞれ設定することが望ましい。個々のユーザーの輻輳量１ｃは、例えば、遠用視線の位置を基準に近用視線の位置が何ｍｍ程度内側（鼻側）にあるかによって測定することが可能である。本例の累進多焦点レンズの製造方法においては、個々のユーザー毎に累進面を設計するようにしているので、このようなユーザー毎の癖や眼の動きを反映し、さらに左右の眼で異なった輻輳量を加味した累進面を備えた眼鏡レンズを提供することができる。
【００４６】
このように、ユーザー毎の遠用から近用に視線が移動する際の動きを示すこれらの回旋角１ｂおよび輻輔量１ｃに基づき、図１３に示すように、遠用部７２の中心（遠用中心）７２ｂや近用部７３の中心（近用中心）７３ｂなどの位置をユーザーに合わせて設定することが可能である。  これによって、遠用部７２、近用部７３およびこれらを接続する累進部７４の領域が決まり、さらに、主注視線７５も設定できるので、累進面７１の基本的な仕様が決定される。
【００４７】
〔ベースカーブおよび度数分布の決定〕
次に、ステップ１４において、遠用部７２の屈折力（度数）分布を決定する。
【００４８】
まず、ステップ１５において、カスタマイズ情報１の度数を示すＳ度数１ｄおよび乱視矯正を示すＣ度数１ｅからベースカーブを選択する。本例においては、図８に示すように、Ｓ度数１ｄおよびＣ度数１ｅの組み合わせによってベースカーブ値が選択できるルックアップテーブルがベースカーブファイル５３に設定されており、例えば、Ｓ度数１ｄおよびＣ度数１ｅがそれぞれ０．２５ディオプトリ（Ｄ）単位で適当なベースカーブを設定できるようになっている。
【００４９】
累進レンズの遠用部の表面屈折力を与える基本カーブ（ベースカーブ）は、光学性能、外観、物理的にレンズとして製造可能であるかなどを考慮して球面度数（Ｓ度数）１ｄおよび乱視度数（Ｃ度数）１ｅの関係で予め設定することができる。従って、カスタマイズ情報１に含まれる処方度数（球面度数および乱視度数）から遠用部のベースカーブが決定される。また、近用部のベースカーブも、以下のステップ１９で述べるように、遠用部のベースカーブに対し加入度１ｆを加味して設定することができる。例えば、Ｓ度数１ｄが１．５０ＤでＣ度数１ｅが−１．００Ｄであり、さらに、加入度２．２５Ｄのユーザーの場合は図８に示したベースカーブファイル５３に基づき、遠用部のベースカーブが３．５０Ｄ、近用部のベースカーブが５．７５Ｄに設定される。
【００５０】
ステップ１５において遠用部のベースカーブが決定されると、ステップ１６において、カスタマイズ情報１のライフスタイル１ａに関連する情報に基づき決定された基礎パラメータに対応した遠用部の水平度数分布が遠用度数分布ファイル５４から抽出される。度数分布に関しても、ファイル５４に基礎パラメータファイル５１に用意された基礎パラメータのそれぞれに対応して遠用度数分布を決定するルックアップテーブルが予め用意されており、これを参照してユーザー毎の度数分布を決定できるようになっている。上述したように数十あるいはそれ以上の累進面のパターンに係る度数分布をルックアップテーブルとして用意することが可能であり、もちろん、関数などを用いて度数分布を求めることも可能である。さらに、ステップ１７において、ベースカーブと水平方向の度数分布から遠用部７２全体の度数分布を決定する。決定された度数分布は度数分布データファイル８１に出力される。
【００５１】
次に、ステップ１８において、近用部７３の屈折力（度数）分布を決定する。
【００５２】
本ステップにおいては、まず、ステップ１９において、カスタマイズ情報の加入度１ｆによってステップ１５で決定したベースカーブから近用部のカーブを決定する。さらに、遠用部と同様にライフスタイル１ａの情報に基づき設定された基礎パラメータに基づきステップ２０において近用度数分布をファイル５５を参照して決定し、ステップ２１において近用部７２全体の度数分布を決定する。決定された近用部の度数分布も度数分布データファイル８１に出力される。
【００５３】
このようにして図１３に示す遠用部７２および近用部７３の度数分布が決まるので、ステップ２２において、度数分布データファイル８１に出力されたこれらの領域の度数分布に基づき累進部（中間部）７４の屈折力（度数）分布を決定する。中間部の度数分布は遠用部から近用部までほぼ一定の度数変化の設定で決定しても良いが、ユーザーの視線の使い方に合わせて変化させることも可能である。本例の製造方法においては、累進帯の位置や長さはステップ１１によって決定されているので、ステップ２３においてカスタマイズ情報１の視線１ｇの情報から累進帯の度数変化を決定する。そして、上下に位置する遠用部７２および近用部７３の水平方向の度数分布を参照してステップ２４において累進帯側方度数変化を決定する。以上のステップでカスタマイズ情報１の内、累進面の設計に反映すべき情報を累進面の設計パラメータに反映することができ、本例においては、最終的には各領域の度数分布が得られるようにしている。最終的に決定した各領域の度数分布は度数分布データファイル８１に出力され、後流の座標を導出する工程６に渡される。
【００５４】
〔設計パラメータの異なった設定方法〕
上記では、累進多焦点レンズの設計の基礎となる遠用部および近用部の明視域を定める基礎パラメータが数多く予めファイル５１に用意され、その中の最適の基礎パラメータをユーザーのカスタマイズ情報１によって選択することによって個々のユーザーに最適な累進多焦点レンズをカスタムメイドできる製造方法を例示している。本発明がこの製造方法に限定されないことはもちろんである。主ライフ情報の職業に基づき大きな累進多焦点レンズのタイプ、例えば、遠用重視タイプ、遠中近バランスタイプあるいは近用重視タイプのいずれかを選択し、また、趣味に基づき同様の複数のタイプのいれずかを選択し、これらを副ライフ情報によって重み付けして基礎パラメータを設定することも可能である。
【００５５】
遠用重視タイプをＡ群、遠中近バランスタイプをＢ群、さらに、近用重視タイプをＣ群としたときに、これらの各タイプの眼鏡レンズを採用するのに適した職業は、例えば、図９に示すように区分けすることができる。同様に、各タイプの眼鏡レンズを採用するのに適した趣味を図１０に示すように区分けすることができる。Ａ群、Ｂ群およびＣ群毎に遠用部および近用部の明視域の広さや位置を示す基礎パラメータや、さらに度数分布といったその他の設計パラメータを設定することが可能であり、職業と趣味による選択結果が同じタイプを示す場合は、それぞれの群で設定された設計パラメータで累進多焦点レンズの設計を進めることができる。一方、職業に基づきタイプと、趣味に基づくタイプが異なる場合は、ユーザー毎の職業と趣味の比率情報などによって重み付け関数Ｗ１を求め、以下のような式によってユーザーに最適な基礎パラメータなどの設計パラメータを求めることができる。
最適な設計パラメータ
＝ 職業に基づき選択されたタイプの設計パラメータ×Ｗ１
＋ 趣味に基づき選択されたタイプの設計パラメータ×（１−Ｗ１）・・・・・（１）
【００５６】
ここで、重み付け関数Ｗ１は、職業による重み付け関数とする。
【００５７】
例えば、職業と趣味でほぼ均等に眼鏡を使用するユーザーであれば、重み付け関数Ｗ１を５０％に設定することができる。一方、９０％は職業で眼鏡を使用するユーザーであれば重み付け関数Ｗ１を９０％に設定することができる。本例においても、このように、カテゴリーの異なる２つの主ライフ情報に基づき基礎パラメータなどの設計パラメータを設定し、それらをユーザーの職業と趣味に費やす時間の比率などの副ライフ情報で調整することにより、いっそう個々のユーザーに適した累進多焦点レンズを製造し、供給することができる。
【００５８】
このようにしてユーザーの個々のライフワークに対応した最適な眼鏡レンズの設計パラメータが決まるので、上述した製造方法と同様に他のユーザーの眼に関連するカスタマイズ情報を使用して設計を進めることができる。また、本例においても、ユーザーの眼鏡レンズの使用経験（履歴）情報に基づき、上記の式(１)で設定された最適な設計パラメータをさらに補正することも可能である。
【００５９】
一例として、今回が初めて累進多焦点レンズを装着するユーザーの場合は、累進多焦点レンズ特有の視野の制限や像の歪みが気になることが多い。従って、このようなユーザーには、遠用重視のタイプ、すなわちＡ群に近い設計の累進多焦点レンズが好ましい。そこで、上記の式（１）で定まった最適な設計パラメータを最適設計パラメータ１として以下の式（２）で補正することができる。
最適な設計パラメータ２
＝最適設計パラメータ１×Ｗ２＋Ａ群の設計パラメータ×（１−Ｗ２）・・・・・（２）  
【００６０】
ここで重み付け関数Ｗ２は、ユーザーの累進多焦点レンズに対する適性に関する値であり、０〜１の値を採用しうるが０．１〜０．７程度が良いようである。
【００６１】
また、重み付け関数Ｗ２をユーザーの加入度数１ｆの関数とすることも可能である。加入度１ｆが低いユーザーの場合は、最適設計パラメータ１のままでも視野の制限は少なく歪みも小さいため、重み付け関数Ｗ２は１に近い値で良い。これに対し、加入度１ｆが大きいユーザーの場合は、重み付け関数Ｗ２が０に近い、すなわち、遠用重視のタイプに近いほうが初めてのユーザーでもかけ慣れ易い。このような重み付け関数Ｗ２としては、次の式（３）に示すような関数を採用することができる。
Ｗ２ ＝ α − ＡＤＤ×β ・・・・・（３）
【００６２】
ここで、ＡＤＤは加入度１ｆであり、αおよびβは加入度１ｆに対し適当な重み付け関数Ｗ２が得られるように設定された係数である。例えば、α＝０．８、β＝０．２のとき、加入度１ｆが０．５０〜３．５０Ｄの範囲で式（３）は０．１〜０．７の値をとる。
【００６３】
また、すでに累進多焦点レンズを装用したことのあるユーザーの場合は、以前に装用していたレンズに満足していたか否かを最適設計パラメータ１に反映する補正を行うことができる。例えば、以前（現行）のレンズに満足しているユーザーの場合は、以前の累進多焦点レンズのタイプと最適設計パラメータ１を用いて以下のような式（４）で最適な設計パラメータ３を求めることができる。
最適な設計パラメータ３
＝最適設計パラメータ１×（１−Ｗ３）
＋以前の累進多焦点レンズのタイプの設計パラメータ×Ｗ３・・・・・（４）
【００６４】
ここで重み付け関数Ｗ３は、ユーザーの以前の累進多焦点レンズに対する適性に関する値であり、０〜１の値を採用しうる。
【００６５】
あるいは、以前のレンズの個々の要素を示す設計パラメータを事前に解析して、個々の設計パラメータを以前のレンズの設計パラメータに近づくように補正することも可能である。
【００６６】
逆に、以前のレンズに不満があるユーザーの場合は、特に不満な部分を改善するように設計パラメータを補正することができる。例えば、以前のレンズが歪みが大きくてかけられなかったユーザーに対しては、以前のレンズの設計パラメータと最適設計パラメータ１とを比較し、歪みを低く抑えた方が望ましい場合は歪みの少ないＡ群の設計パラメータを重み付けして加算する。また、近用部が狭いという不満のあるユーザーに対しては、近用重視のタイプであるＣ群の設計パラメータを重み付けして加算し、最適な設計パラメータを導出することができる。
【００６７】
このようにして個々のユーザーのライフワークに関連するカスタマイズ情報を反映した設計パラメータを決定し、上記と同様に個々のユーザーの眼に関するカスタマイズ情報に基づきさらなる補正を加え、カスタマイズ情報を反映した累進面の度数分布を導出する。このように、本発明においては、カスタマイズ情報を適当な関数を用いて個々のユーザーに最適な設計パラメータに変換してカスタムメイドされた累進多焦点レンズを設計および製造することができる。
【００６８】
〔累進面の座標データの導出〕
図１１に、座標データ導出部６２にて行われるカスタムメイドされた累進面７１の座標を導出する工程６における処理を示してある。この処理では、具体的には、各点の度数分布に応じた曲率半径を持つ微小球面を接続することによってレンズの中心部から外周方向に向かって次々と座標を計算する。各点の曲率半径Ｒ（ｍ）は、度数分布をＤ（ディオプトリー）、レンズの素材屈折率をｎとする次の式で得ることができる。
Ｒ ＝ （ｎ−１）／Ｄ ・・・・・（５）
【００６９】
まず、ステップ２５において、主子午線（主注視線）７５に沿った面形状を決定する。通常、多くの場合は主子午線７５に沿って非点収差が発生しないように面形状が決定されるが、乱視矯正機能を持たせたり、あるいは他の目的で所定の収差を折り込むことも可能である。ステップ２６において、上記にて決定された遠用部７２の度数分布に従って、遠用部７２の主子午線７５に沿った面形状が決定される。同様にステップ２７において近用部７３の主子午線７５に沿った面形状、およびステップ２８において累進部７４の主子午線７５に沿った面形状が決定される。
【００７０】
次に、ステップ２９において、主子午線７５から側方に延びる累進面７１の座標が決定される。まず、ステップ３０において、カスタマイズ情報１によって決定された遠用部７２の度数分布にしたがって遠用側方形状が決定される。同様に、ステップ３１において近用部７３の度数分布にしたがって近用側方形状が決定され、ステップ３２において累進部７４の度数分布にしたがって累進帯側方形状が決定される。このようにして、カスタマイズ情報１を反映した累進面、すなわち、カスタムメイドされた累進面７１の座標が決定される。このカスタムメイドされた累進面７１は、各々のユーザーに対してそれぞれ異なる一品一様の累進面であり、ユーザーの眼の状態やライフスタイルなどに合致した累進面となる。従って、各々のユーザーに対し、使いやすく快適な視野の得られる累進面を提供することができる。
【００７１】
〔レンズ形状の決定〕
以上で累進面が決定されるので、次に、図１２（ａ）にさらに詳細に示すように、レンズ形状決定部６３においてステップ７のレンズ形状が決定される。レンズ形状としては、凸面に累進面７１を形成するのであれば、凹面の形状を決定する必要がある。レンズの裏面は、通常、半径Ｒ１の球面または半径Ｒ１およびＲ２を有するトーリック面形状をしており、遠用部の表面のベースカーブをＤ０（ディオプトリー）、レンズの中心厚をｔ（ｍ）とすると次の式（６）によって計算することができる。
Ｒ１＝（ｎ−１）／Ｄ１
Ｒ２＝（ｎ−１）／Ｄ２
Ｄ１＝Ｄ０／（１−ｔ・Ｄ０／ｎ）−Ｓ
Ｄ２＝Ｄ１＋Ｃ ・・・・・（６）
【００７２】
ここで、Ｓはカスタマイス情報１の処方の球面度数（Ｓ度数）１ｄであり、Ｃは乱視度数（Ｃ度数）１ｅである。
【００７３】
このように、カスタマイズ情報１のＳ度数１ｄ、Ｃ度数１ｅおよび乱視の方向を示す乱視軸１ｈによってレンズの裏面を形成するトーリック面が決定される。
【００７４】
プラス度数が処方されたユーザーに対しては、レンズの大きさにより物理的に製作可能な中心厚ｔがきまるので、カスタマイズ情報のフレーム形状１ｉによて中心厚ｔを評価し、最適な厚みのレンズを決定することができる。また、このｔの値によって裏面の曲率Ｒ１およびＲ２も変化する。一方、フレームの形状が指定されないユーザーに対しては、標準レンズ径、最低中心厚、最低縁厚が処方度数１ｄおよび１ｅに対応して設定できるので、この値を用いて裏面の形状を計算し、累進多焦点レンズの形状が決定される。このため、本例の製造方法においては、レンズ径ファイル５７、最低中心厚ファイル５８および最低フチ厚ファイル５９が用意されており、これらのファイル中にはＳ度数およびＣ度数によってそれぞれの値が求められるように形成されたルックアップテーブルが収納されている。このようにして座標データファイル８２に収納された座標データに基づき決定されたユーザー毎のレンズの形状を示す値はレンズ形状ファイル８３に出力され、次の工程に渡される。
【００７５】
〔光学性能の補正〕
さらに、本例の製造方法においてはステップ８でそり角、前傾角、頂点間距離といったカスタマイズ情報１のフィッティングデータ１ｊによって上記のように決定されたレンズ形状をさらに詳細に補正できるようにしている。例えば、頂点間距離は通常１２ｍｍを基準としているが、実際にユーザーがレンズを装着したときに頂点間距離がこの値からずれると、眼鏡レンズの矯正効果が低下して実際に眼に感じられる度数が変化することが一般に知られている。また、乱視矯正機能を備えたレンズでは、乱視矯正効果も変化する。従って、このステップ８では、実際にユーザーが眼鏡を眼にかけたときの状態を想定し、そのときに適性な球面度数および乱視度数が得られるように裏面の曲率Ｒ１およびＲ２を補正できるようにしている。このような補正を行うステップ８においては、例えば、光線追跡法などを用いることが可能である。また、レンズ形状が決定した後、実際の眼の位置における非点収差と屈折力の分布差を求め、これらが最小となるように凸面の累進面あるいは凹面を補正したり、そり角や前斜角から近用部とユーザーの角膜の間の距離を計算して調節効果のずれを考慮した加入度の補正も行うことができ、個々のユーザーに対応して設計された眼鏡レンズの光学的な性能をさらに高めることができる。本例においては、個々のユーザー毎に累進面を設計し、それに基づきレンズ形状を決定しているので、このような個々のユーザーにおける眼鏡の装着状態（度数、身体的特徴、装用情報など）によって累進面あるいはレンズ形状の設計を補正することができる。従って、装着状態まで含めてユーザー個人に最適な眼鏡用のレンズを提供することができる。
【００７６】
〔加工データの導出〕
以上のようにして、レンズ形状ファイル８３に出力されたレンズ形状が最終的に決まると、上述したようにステップ９においてＮＣ加工などを行うための加工データを作成し、実際にレンズの加工を行う。従って、加工された累進多焦点レンズはユーザー個人に合わせてカスタムメイドされたレンズとなり、ユーザーに対し最も快適な視野を提供できるレンズを供給できる。また、ユーザーの度数、ライフスタイルおよびフィッティング状況などの条件は、上述したレンズの加工データが作成される以前に全て反映されているので、加工は１工程で良く、短時間で累進多焦点レンズをカスタムメイドすることができる。加工ステップ３においては、レンズ基材を加工し累進多焦点レンズを形成すると共にフレーム枠に合わせて玉型加工が行われ、図１３に示すような眼鏡レンズ７９に成形され出荷される。さらに、ユーザーの要求によりカラーコート、ＵＶコートなどの付加も同時に行われる。
【００７７】
以上に説明したように、本例の累進多焦点レンズの製造方法においては、ユーザーから得たカスタマイズ情報にしたがって、そのユーザーに最適の累進面を設計する工程からスタートし、カスタムメイドされた累進面を備えた累進多焦点レンズが加工され出荷される。従って、累進多焦点レンズの装着者の個々のライフスタイル、身体的特徴、装用状態などに合わせて一人一人に最適の光学性能を備えた累進多焦点レンズをカスタムメイドすることができる。このため、多種多様なユーザーの個々に対し従来にも増して快適な視野の得られる累進多焦点レンズを提供することができる。また、個々の累進多焦点レンズを製造する際に、累進面の設計からスタートするようにしているので、セミフィニッシュ状態のレンズを在庫し、その管理を行う必要がない。従って、加工コストも低減するとことができ、ユーザーが満足する光学的な性能を備えた眼鏡レンズを安価に提供することができる。
【００７８】
なお、上記では、物体側の凸面が累進面になった例で説明しているが、眼球側の凹面に累進面を構成することももちろん可能であり、凹面側に累進面およびトーリック面の機能を付加することも可能である。さらに、ユーザーの要望によっては、ファッション的な要素を取り入れた設計を行うことも可能であり、個々のユーザーの好みに合わせてファッショナブルで光学的な性能も優れた累進多焦点レンズを提供することができる。
【００７９】
さらに、上記において説明したレンズ設計用のソフトウェアではファイル化されたルックアップテーブルを多く用いた例を説明してあるが、ファイル化されたデータに加え、あるいは代わって適当な関数などを用いて設計パラメータ、レンズデータさらには補正用のデータなどを導出することももちろん可能である。また、累進多焦点レンズの設計手順は上記にフローチャートに示した手順に限定されるものではもちろんなく、同等の結果が得られるソフトウェアであればよい。さらに、累進多焦点レンズをカスタムメイドする際に用いられる情報は、上記に説明した情報の一部であっても累進面から個々のユーザー用のレンズの設計をスタートすることによって本発明の効果が得られることはもちろんである。さらに、上記に説明したカスタマイズ情報に加え、ユーザーの眼の状態あるいは生活に係るさらに多くの情報などをレンズの設計に反映することによりいっそうユーザーに適したレンズを提供できることはもちろんである。  
【産業上の利用可能性】
【００８０】
この発明は、視力補正用の累進多焦点レンズの製造方法および製造装置、この製造方法によって製造される累進多焦点レンズおよび眼鏡レンズに関するものである。
【図面の簡単な説明】
【００８１】
【図１】本発明の累進多焦点レンズの主な製造過程を示すフローチャート
【図２】本発明の累進多焦点レンズの製造装置の概略を示すブロック図
【図３】図１に示したフローチャートのうち、カスタマイズ情報を設計パラメータに反映する工程をさらに詳しく示すフローチャート
【図４】図３に示すフローチャートのうち、基礎パラメータを決定する工程をさらに詳しく示すフローチャート
【図５】基礎パラメータファイルの概要を示す図
【図６】職業に基づく基礎パラメータを設定した職業ファイルの概要を示す図
【図７】趣味に基づく基礎パラメータを設定した趣味ファイルの概要
【図８】ベースカーブを設定したベースカーブファイルの概要
【図９】職業により累進多焦点レンズのタイプを選択する例を示す図
【図１０】趣味により累進多焦点レンズのタイプを選択する例を示す図
【図１１】図１に示したフローチャートのうち、設計パラメータによって累進面を設計する工程をさらに詳しく示すフローチャート
【図１２】図１に示したフローチャートのうち、レンズの形状を決定する工程および光学性能を補正する工程をさらに詳しく示すフローチャート
【図１３】累進多焦点レンズおよび眼鏡レンズの概略構成を説明する図
【図１４】従来の累進多焦点レンズを製造過程の概略を示すフローチャート
【図１】
2006163441.tif 000003
【図２】
2006163441.tif 000004
【図３】
2006163441.tif 000005
【図４】
2006163441.tif 000006
【図５】
2006163441.tif 000007
【図６】
2006163441.tif 000008
【図７】
2006163441.tif 000009
【図８】
2006163441.tif 000010
【図９】
2006163441.tif 000011
【図１０】
2006163441.tif 000012
【図１１】
2006163441.tif 000013
【図１２】
2006163441.tif 000014
【図１３】
2006163441.tif 000015
【図１４】
2006163441.tif 000016
【手続補正書】
【提出日】平成18年3月6日(2006.3.6)
【手続補正２】
【補正対象書類名】特許請求の範囲
【補正対象項目名】全文
【補正方法】変更
【補正の内容】
【特許請求の範囲】
【請求項１】
屈折力の異なる遠用部および近用部、およびこれらの間で屈折力が累進的に変化する累進部を構成する累進面を有する累進多焦点レンズの製造装置であって、
各々のユーザーの眼に関連する情報および前記ユーザーの生活に関連する情報の少なくともいずれかを含むユーザー個別のカスタマイズ情報を反映した累進面を設計し、このカスタムメイドされた累進面を備えた累進多焦点レンズの加工データを導出するレンズ設計部を有し、
このレンズ設計部は、前記カスタマイズ情報を前記累進面の設計パラメータに反映する設計パラメータ決定部と、
前記設計パラメータに基づき前記カスタムメイドされた累進面の座標データを導出する座標データ導出部と、
前記カスタムメイドされた累進面を備えたカスタムメイドレンズの形状を前記カスタマイズ情報に基づき決定するレンズ形状決定部と、
前記カスタムメイドレンズの形状を前記カスタマイズ情報に基づき光学性能が向上するように補正する光学性能補正部と、
補正された前記カスタムメイドレンズの形状の加工データを導出する加工データ作成部と、
前記設計パラメータの内、少なくとも前記遠用部または近用部の明視域の設定に関する複数の基礎パラメータが予め用意された基礎パラメータファイルと、
これらの基礎パラメータに対応した前記遠用部または近用部の度数分布が予め用意された度数分布データファイルと、
前記遠用部の表面屈折力を設定する複数のベースカーブが予め用意されたベースカーブファイルとを備えており、
前記設計パラメータ決定部は、前記カスタマイズ情報に含まれた前記ユーザーの生活に関連するカテゴリーの異なる少なくとも第１および第２の主ライフ情報のそれぞれに基づき前記基礎パラメータファイルから前記基礎パラメータをそれぞれ選択する基礎パラメータ選択部と、
前記カスタマイズ情報に含まれた前記第１および第２の主ライフ情報が前記ユーザーの眼に影響する比率を反映する副ライフ情報に基づき前記基礎パラメータ選択部によって選択された複数の前記基礎パラメータから前記カスタムメイドレンズの設計に使用される前記基礎パラメータを決定する基礎パラメータ調整部と、
前記カスタマイズ情報に含まれた度数情報に基づき前記ベースカーブファイルから前記遠用部および近用部の前記ベースカーブを選択するベースカーブ選択部と、
前記度数分布データファイルの度数分布データに基づき前記遠用部または近用部の度数分布を決定する第１の度数分布決定部と、
前記遠用部および近用部の度数分布に基づき前記累進部の度数分布を決定する第２の度数分布決定部とを備えていることを特徴とする累進多焦点レンズの製造装置。
【請求項２】
請求項１に記載の累進多焦点レンズの製造装置において、
前記設計パラメータ決定部は、さらに、前記カスタマイズ情報に含まれた前記ユーザーの眼鏡に関連する情報のうち、眼鏡レンズの使用経験の有無、累進多焦点レンズに対する適性、および、現在あるいは過去に装着していた眼鏡に対する適性に関する履歴情報に基づき前記基礎パラメータを補正する基礎パラメータ補正部を備えていることを特徴とする累進多焦点レンズの製造装置。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】変更
【補正の内容】
【００１８】
本発明の、屈折力の異なる遠用部および近用部、およびこれらの間で屈折力が累進的に変化する累進部を構成する累進面を有する累進多焦点レンズの製造装置においては、各々のユーザーの眼に関連する情報およびユーザーの生活に関連する情報の少なくともいずれかを含むユーザー個別のカスタマイズ情報を反映した累進面を設計し、このカスタムメイドされた累進面を備えた累進多焦点レンズの加工データを導出するレンズ設計部を有している。そして、このレンズ設計部は、カスタマイズ情報を累進面の設計パラメータに反映する設計パラメータ決定部と、設計パラメータに基づきカスタムメイドされた累進面の座標データを導出する座標データ導出部と、カスタムメイドされた累進面を備えたカスタムメイドレンズの形状をカスタマイズ情報に基づき決定するレンズ形状決定部と、カスタムメイドレンズの形状をカスタマイズ情報に基づき光学性能が向上するように補正する光学性能補正部と、補正されたカスタムメイドレンズの形状の加工データを導出する加工データ作成部と、設計パラメータの内、少なくとも遠用部または近用部の明視域の設定に関する複数の基礎パラメータが予め用意された基礎パラメータファイルと、これらの基礎パラメータに対応した遠用部または近用部の度数分布が予め用意された度数分布データファイルと、遠用部の表面屈折力を設定するベースカーブが複数種類予め用意されたベースカーブファイルとを備えている。
【手続補正１１】
【補正対象書類名】明細書
【補正対象項目名】００１９
【補正方法】変更
【補正の内容】
【００１９】
さらに、設計パラメータ決定部は、カスタマイズ情報に含まれたユーザーの生活に関連
するカテゴリーの異なる少なくとも第１および第２の主ライフ情報のそれぞれに基づき基
礎パラメータファイルから基礎パラメータをそれぞれ選択する基礎パラメータ選択部と、
カスタマイズ情報に含まれた第１および第２の主ライフ情報がユーザーの眼に影響する比
率を反映する副ライフ情報に基づき基礎パラメータ選択部によって選択された複数の基礎
パラメータからカスタムメイドレンズの設計に使用される基礎パラメータを決定する基礎
パラメータ調整部と、カスタマイズ情報に含まれた度数情報に基づきベースカーブファイ
ルから遠用部および近用部のベースカーブを選択するベースカーブ選択部と、度数分布デ
ータファイルの度数分布データに基づき遠用部または近用部の度数分布を決定する第１の
度数分布決定部と、遠用部および近用部の度数分布に基づき累進部の度数分布を決定する
第２の度数分布決定部とを備えていることを特徴としている。設計パラメータ決定部には
、さらに、カスタマイズ情報に含まれたユーザーの眼鏡に関連する情報のうち、眼鏡レンズの使用経験の有無、累進多焦点レンズに対する適性、および、現在あるいは過去に装着していた眼鏡に対する適性に関する履歴情報に基づき基礎パラメータを補正する基礎パラメータ補正部を設けることができる。